(57)【要約】【課題】電気エネルギーを蓄積する、特に車両内に設置するための回路を提供する。【解決手段】本発明は、電気エネルギーを蓄積する、特に車両内に設置するための回路１０に関する。この回路は、少なくとも１つのコンデンサ１２、１４、１６、１８、２０、２２と、温度依存抵抗２４と、を備え、温度依存抵抗によって少なくとも１つのコンデンサを充電することができる。さらに、本発明は、本発明による回路を有する車両とともに、車両に取り付ける方法に関する。【選択図】図１
2012115137.tif 000002
【特許請求の範囲】
【請求項１】
電気エネルギーを蓄積する、特に車両内に設置するための回路（１０）であって、
少なくとも１つのコンデンサ（１２、１４、１６、１８、２０、２２）と、
温度依存抵抗（２４）と、を備え、前記温度依存抵抗によって前記少なくとも１つのコンデンサを充電することができ、充電中に電流の流れを制限することができ、
ダイオード（３２）をさらに備え、前記電流が前記温度依存抵抗によって制限されることなく、前記ダイオードによって前記少なくとも１つのコンデンサを放電することができる回路。
【請求項２】
前記温度依存抵抗に並列または直列に接続されたさらなる抵抗（３０）を有する請求項１に記載の回路。
【請求項３】
前記少なくとも１つのコンデンサ（１２、１４、１６、１８、２０、２２）は二重層コンデンサである請求項１または２に記載の回路。
【請求項４】
前記温度依存抵抗（２４）はＰＴＣサーミスタである請求項１から３のいずれか一項に記載の回路。
【請求項５】
前記少なくとも１つのコンデンサおよび前記温度依存抵抗は、リードフレーム上に配置される請求項１から４のいずれか一項に記載の回路。
【請求項６】
請求項１から５のいずれか一項に記載の回路（１０）を備える車両。
【請求項７】
請求項１から５のいずれか一項に記載の回路（１０）を用いて車両の蓄電池を置換するステップによって車両に取り付ける方法。
【発明の詳細な説明】
【技術分野】
【０００１】
本発明は、電気エネルギーを蓄積する、特に車両（motor vehicle）内に設置するための回路に関する。
【背景技術】
【０００２】
従来技術において、電気エネルギーを蓄積するために車両内で蓄電池、特に鉛蓄電池（lead acid battery）を使用することが知られている。
また、従来技術において、電気エネルギーを蓄積するコンデンサが知られている。
【発明の概要】
【発明が解決しようとする課題】
【０００３】
本発明の課題は、電気エネルギーを蓄積する、特に車両内に設置するためのさらなる回路を提供することである。さらに、本発明の課題は、そのような回路を有する車両を提供するとともに、車両がその回路を利用することができるように車両に取り付ける方法を提供することに関する。
【課題を解決するための手段】
【０００４】
最初の課題は、請求項１に記載された回路によって解決される。さらなる課題は、請求項６に記載された車両および請求項７に記載された方法によって解決される。この回路の実施形態は、従属請求項に記載されている。
【０００５】
本発明は、少なくとも１つのコンデンサと、温度依存抵抗と、を有し、温度依存抵抗によって少なくとも１つのコンデンサを充電することができる、電気エネルギーを蓄積する、特に車両内に設置するための回路を備える。
【０００６】
温度依存抵抗は、それによって、充電中に電流の流れを制御、特に制限することができる。
【０００７】
一実施形態において、回路はダイオードを備え、ダイオードによって、少なくとも１つのコンデンサを放電することができる。これは、電流が温度依存抵抗によって制限されることなくコンデンサを放電することを可能とする。
【０００８】
一実施形態において、本発明の回路はさらなる抵抗を備える。これは温度依存抵抗に並列または直列に接続することができる。ほとんどの場合、従来の抵抗は温度依存抵抗より経済的である。さらなる抵抗により、温度依存抵抗はより小さい寸法とする可能性を有し、それによってより低価格になる。
【０００９】
一実施形態において、少なくとも１つのコンデンサは二重層コンデンサである。二重層コンデンサは高いエネルギー密度を示す利点を有する。
【００１０】
特に、コンデンサはウルトラＣＡＰ（Ultra CAP（ウルトラキャパシタ））でありうる。ウルトラＣＡＰは、特に一般的であり、効果的な特性を有する容易に入手可能な二重層コンデンサである。
【００１１】
一実施形態において、温度依存抵抗はＰＴＣ（positive temperature coefficient（正温度係数））サーミスタである。そのようなＰＴＣサーミスタの１つの特性は、より高い温度でそれが与える抵抗値が増加することである。温度依存抵抗なしでコンデンサを充電するとき、たいへん高い電流が生じる可能性があり、それによって、例えば回路が破壊される可能性がある。さらに、外部の過負荷または短絡の安全装置が作動されうる。ＰＴＣサーミスタは、温まるにつれてその抵抗値がより高くなる特性を有する。より高い抵抗値は多くの電流の流れ、従ってより熱くなることを防ぐ。そうすることにより、ＰＴＣサーミスタは、電流を制限して過度の熱量が生じることを防止し、回路が破壊されることを防ぐことが可能である。
【００１２】
一実施形態において、少なくとも１つのコンデンサおよび温度依存抵抗はリードフレーム（lead frame）上に配置される。この実施形態において、構成要素は従来の構成要素として設計され、表面実装部品（ＳＭＤ（surface mounted device））として設計されない。それをすることは、代替として回路基板をさらに使用することもできるが、回路基板を必要としない。ＳＭＤを設ける必要がないときコストの利点がある。
【００１３】
本発明は、さらに、本発明による回路が設置された車両に関する。
【００１４】
本発明は、さらに、車両に取り付ける方法に関する。この方法は、本発明による回路を用いて従来の車両に見られる蓄電池を置換するステップを含む。
【図面の簡単な説明】
【００１５】
【図１】本発明の回路の一実施形態を表わす。
【発明を実施するための形態】
【００１６】
本発明のさらなる詳細および効果の説明において、以下で本発明の回路の一実施形態を表わす図１を参照する。
【００１７】
図１に表わされている本発明の回路１０の実施形態は、６個のコンデンサ１２、１４、１６、１８、２０、２２、特にウルトラＣＡＰセル（cell）を備える。ウルトラＣＡＰセルは、互いによく整合した容量の関係を有するとき、充電中に電圧検査されず、釣り合わされないので利点を有する。例えば、ウルトラＣＡＰの製造の間の選択工程においてそのような調整を実現することができる。セルのスタックのために十分な電圧の保有が存在するように、さらなるコンデンサを設けることができる。図１に表わされているウルトラＣＡＰセルへの直列配置は、例えば１２ボルトまたは２４ボルトの範囲内の最大充電電圧を可能とする。個々のウルトラＣＡＰセルは、通常、２．５〜２．７ボルトの最大電圧を有する。
【００１８】
本発明の回路１０の図示された実施形態は、ＰＴＣサーミスタ２４をさらに備える。このＰＴＣサーミスタ２４は、コンデンサ１２、１４、１６、１８、２０、２２が、接続２６、２８に印加される電圧によって充電されることを可能とする。それを行うときに、ＰＴＣサーミスタ２４は、コンデンサ１２、１４、１６、１８、２０、２２の充電状態と関係なく充電電流を調整する。従来の抵抗３０はＰＴＣサーミスタ２４に並列に設けられ、これはＰＴＣサーミスタ２４がより小さく設計されることを可能とし、それによってより低価格になる。その代わりに、従来の抵抗３０は、ＰＴＣサーミスタ２４と直列配置とすることもできる。さらに、ＰＴＣサーミスタ２４と並列に配置される第１のさらなる抵抗およびＰＴＣサーミスタ２４と直列に配置される第２のさらなる抵抗が考えられる。図示された回路１０において、コンデンサ１２、１４、１６、１８、２０、２２は、ＰＴＣサーミスタ２４と並列に接続されるダイオード３２によって放電される。ダイオードは、ＰＴＣサーミスタを用いて実現されるより、高い放電電流を可能とする。
【００１９】
本発明は様々な利点を与えうる。従来の鉛蓄電池と比較して、コンデンサは著しく高い循環化を可能とする。一般に、鉛蓄電池は、約５０回、フル充電および完全放電することができる。これに対して、コンデンサは、５０，０００回と１，０００，０００回の間で再充電することができる。従って、例えば車両内で使用されるとき、本発明の回路は、車両の全体の寿命の間、使用可能なままでありうる。これは、修理工のところへ行き、車両のエネルギー蓄積装置を交換してもらう必要をなくす。より少ないエネルギー量を要する応用のために、コンデンサは、鉛蓄電池と同様なコンデンサとを比較して重さおよび大きさの利点を与える。概して、本発明による回路は、問題なく車両内の鉛蓄電池を置換することができる。
【００２０】
図１を参照して行われる言及は、単に説明であり、限定として解釈すべきでない。図１に表わされている実施形態は、もちろん、特許請求の範囲に記載された本発明の思想から逸脱することなく変形することができる。
【符号の説明】
【００２１】
１０  回路
１２、１４、１６、１８、２０、２２  コンデンサ
２４  ＰＴＣサーミスタ
２６、２８  接続
３０  抵抗
３２  ダイオード
【図１】
2012115137.tif 000003